(57)【要約】 【課題】本発明は、人工透析等の際に使用する止血用クランプに関する発明である。【解決手段】本発明は、上記の課題を解決するために、弧状の湾曲部及び前記湾曲部の後端より斜め上方に向かって傾斜した摘み部からなり前記湾曲部の内弧に移動可能に上押さえ部を備えた上挟持部と、弧状の湾曲部及び前記湾曲部の後端より斜め下方に向かって傾斜した摘み部からなり前記湾曲部の内弧に移動可能に下押さえ部を備えた下挟持部と、前記上下挟持部を開閉を制御する略Ｃ字状のバネと、表面に無数の調節突起を形成し下端は前記挟持部に固着され上部は前記挟持部に固着された制御土台に挿通され制御摘みにより制御された調節ベルトからなり前記上下挟持部の開口程度を維持する調節部４とからなることを特徴とする止血用クランプ１の構成とした。【選択図】  図１
2009148484.tif 000002
【特許請求の範囲】
【請求項１】
弧状の湾曲部及び前記湾曲部の後端より斜め上方に向かって傾斜した摘み部からなり前記湾曲部の内弧に移動可能に上押さえ部を備えた上挟持部と、弧状の湾曲部及び前記湾曲部の後端より斜め下方に向かって傾斜した摘み部からなり前記湾曲部の内弧に移動可能に下押さえ部を備えた下挟持部と、前記上下挟持部を開閉を制御する略Ｃ字状のバネと、表面に無数の調節突起を形成し下端は前記挟持部に固着され上部は前記挟持部に固着された制御土台に挿通され制御摘みにより制御された調節ベルトからなり前記上下挟持部の開口程度を維持する調節部とからなることを特徴とする止血用クランプ。
【請求項２】
前記上押さえ部が２つの吸盤を移動可能に取り付け緩やかに湾曲した回転盤と上端に拡張部を形成し前記回転盤の中央上面に取り付けられた連結突起とからなることを特徴とする請求項１に記載の止血用クランプ。
【請求項３】
前記上押さえ部が緩衝材と上端に拡張部を形成し前記緩衝材の上面に取り付けられ連結突起とからなることを特徴とする請求項１に記載の止血用クランプ。
【請求項４】
前記上押さえ部が上面に連結突起を形成した取付台座に取り付けられた２つの緩衝材を移動可能に取り付け緩やかに湾曲した回転盤と上端に拡張部を形成し前記回転盤の中央上面に取り付けられた連結突起とからなることを特徴とする請求項１に記載の止血用クランプ。
【請求項５】
前記上押さえ部が内壁面に径の小さい吸盤を取り付けた吸盤と上端に拡張部を形成し前記吸盤の上面に取り付けられた連結突起とからなることを特徴とする請求項１に記載の止血用クランプ。
【請求項６】
前記上押さえ部が内壁面に径の小さい吸盤を備えた２つの吸盤を連結突起を介して移動可能に取り付け緩やかに湾曲した回転盤と上端に拡張部を形成し前記回転盤の中央上面に取り付けられた連結突起とからなることを特徴とする請求項１に記載の止血用クランプ。
【請求項７】
上面中央に連結突起を介して拡張部を備えた取付板と上面に上スポンジ体を連結したスポンジ体とからなり前記上スポンジ体の上面中央に取付板が連結された固定部材上面中央に連結突起を介して拡張部を備えた上部突起と内壁面に径の小さいゼリーシールを備えた吸盤とからなり前記吸盤の上面中央に上部突起が連結された固定部材及びまたは上面中央に連結突起を介して拡張部を備えた上部突起と内壁面に径の小さい緩衝材を備えた吸盤とからなり前記吸盤の上面中央に上部突起が連結された固定部材のいずれかを取り付けた上押さえ部とからなることを特徴とする請求項１乃至請求項６に記載の止血用クランプ。
【発明の詳細な説明】
【技術分野】
【０００１】
本発明は、人工透析等の際に使用する止血用クランプに関する発明である。
【背景技術】
【０００２】
従来、透析患者は、人工透析の最後にもう一方の手、止血バンド又は特許文献１に示すような止血クランプを使用して体内から血液を抜き取る側の針（Ａ側）及び体内へ血液を戻す側の針（Ｖ側）を腕から抜いた後の止血処理をしていた。
【０００３】
しかしながら、従来のような、もう一方の手で押さえる止血方法では、例え１０分程度の止血であっても透析患者にとっては困難なことであり、一方、止血バンドや特許文献１に示すような止血クランプでは腕全体を締め付けることになり、止血不要な血管までも締め付けていた。
【０００４】
また、特許文献２のように、止血が必要な箇所のみを止血することが出来る止血器が考案されているが、構造が複雑であるため透析患者が片手で止血器を取り付けることは困難であった。
【０００５】
更に、人工透析後の止血では、止血を要する血管をしっかりと止血し続けるものではなく、止血部位を決めて止血した後に止血力を弛める必要があり、この点においても止血バンドや特許文献１の止血クランプでは止血後の微調整が難しく、特許文献２の止血器ではネジ締め式であるためネジが勝手に緩む可能性があり、弛めた状態を維持することが難しかった。
【特許文献１】特開平９−１８７４６１号公報
【特許文献２】実願平４−１１０１０号公報
【発明の開示】
【発明が解決しようとする課題】
【０００６】
そこで、本発明は、止血が必要な血管のみを止血することができ、更に片手で簡単に止血し微調整も容易で、止血力が勝手に弛まることがない止血用クランプを提供することを目的とするものである。
【課題を解決するための手段】
【０００７】
本発明は、上記の課題を解決するために、吸盤１０と上端に拡張部１０ｂを形成し前記吸盤の上面に連結された連結突起１０ａとからなる上押さえ部５を下面に移動可能に取付け先端部２ｃに向かって大きく湾曲した湾曲部２ａと前記湾曲部２ａの後部より上方に向かって緩やかに傾斜した摘み部２ｂからなる上挟持部２と、無数の通気抗１１ｃを穿設した吸盤１１と前記吸盤１１の上面中央に連結され上端に拡張部１１ｂを形成した連結突起１１ａからなる下押さえ部６を上面に移動可能に取付け先端部３ｃに向かって大きく湾曲した湾曲部３ａと前記湾曲部３ａの後部より下方に向かって緩やかに傾斜した摘み部３ｂからなる下挟持部３とからなり、前記上挟持部２の湾曲部２ａと摘み部２ｂの中間と下挟持部３の湾曲部３ａと摘み部３ｂの中間同士を回動可能に連結して表示部７を取付け、同時に各湾曲部２ａ、３ａの後部同士を略Ｃ字状のバネ２ｈで制御し、更に各摘み部２ｂ、３ｂ同士を底面に接続片８ｆを形成し制御摘み８ｄを備えた制御土台８ｃと無数の調節突起８ｂを形成した調節ベルト８とからなる調節部４で連結したことを特徴とする止血用クランプ１の構成とした。
【発明の効果】
【０００８】
本発明の止血用クランプは上下挟持部に１つ又は複数の吸盤が取り付けられたクリップ式であるため、止血の必要な血管のみを止血することができ、止血の必要がない他の血管まで止血することや、傷つけることがない。
【０００９】
また、片手で簡単に上下挟持部の開き具合を調節及び維持することができる調節機構を備えているため、本発明を取り付けた後に細かい間隔で止血力を調節することができる。
【発明を実施するための最良の形態】
【００１０】
止血が必要な血管のみを止血し、取付け後の微調整も可能であり、片手で簡単に取り扱うことが出来る止血具という目的を、吸盤を取り付けた上下挟持具を調節部を介して連結することによって実現した。
【実施例１】
【００１１】
図１は本発明である止血用クランプの第１実施例の正面図、図２は止血用クランプの第１実施例の背面図、図３は止血用クランプの第１実施例の平面図、図４は止血用クランプの第１実施例の底面図、図５は第１実施例の止血用クランプの開いた状態を示した図である。
【００１２】
図１及び図２に示すように、本発明である止血用クランプ１は、先端部２ｃに向かって大きく湾曲し下面に移動可能に上押さえ部５を取り付けた湾曲部２ａと前記湾曲部２ａの後部より上方に向かって緩やかに傾斜した摘み部２ｂからなる上挟持部２と、先端部３ｃに向かって大きく湾曲し上面に移動可能に下押さえ部６を取り付けた湾曲部３ａと前記湾曲部３ａの後部より下方に向かって緩やかに傾斜した摘み部３ｂからなる下挟持部３とからなり、前記上挟持部２の湾曲部２ａと摘み部２ｂの中間と下挟持部３の湾曲部３ａと摘み部３ｂの中間同士を回動可能に連結して表示部７を取付け、同時に各湾曲部２ａ、３ａの後部同士を略Ｃ字状のバネ２ｈで制御し、更に各摘み部２ｂ、３ｂ同士を調節部４で連結している。
【００１３】
図１から図５に示すように、前記上挟持部２は正面より見た場合、中心より若干後部から先端部２ｃに向かって一度外方に向かって大きく湾曲して湾曲部２ａを形成しており、湾曲部２ａの後部からは後方斜め上に向かって緩やかに傾斜した摘み部２ｂを形成した形状をし、前記湾曲部２ａと摘み部２ｂの中間部は緩やかな谷形状をしている。
【００１４】
一方、前記上挟持部２は平面より見た場合、先端部２ｃから摘み部の後端まで一直線状をしている。湾曲部２ａ全体は一段凹み、湾曲部２ａの中央付近から先端に向かってガイド孔２ｄが穿設され、前記ガイド孔２ｄの後端付近に２つのバネ受け溝２ｆ、２ｆが形成されている。
【００１５】
また、摘み部２ｂには２本のバネ２ｈ、２ｈが挿通されるための略コの字型の孔２ｅが穿設され、更に孔２ｅより後部に孔２ｇが穿設されている。
【００１６】
前記下挟持部３は正面より見た場合、中心より若干後部から先端部３ｃに向かって一度外方に向かって大きく湾曲した湾曲部３ａを形成しており、湾曲部３ａの後部からは後方斜め下に向かって緩やかに傾斜した摘み部３ｂを形成した形状をし、湾曲部３ａと摘み部３ｂの中間部は緩やかな谷形状をしている。
【００１７】
一方、前記下挟持部３を底面より見た場合、先端部３ｃから摘み部の後端まで一直線状をしている。湾曲部３ａ全体は一段凹み、湾曲部３ａの中央付近から先端に向かってガイド孔３ｄが穿設され、前記ガイド孔３ｄの後端付近に２つのバネ受け溝３ｆ、３ｆが形成されている。
【００１８】
また、摘み部３ｂには２本のバネ２ｈ、２ｈが挿通されるための細長い２本の孔３ｅ、３ｅが平行して穿設されており、更に孔３ｅ、３ｅより後部に孔３ｇが穿設されている。
【００１９】
前記上下挟持部２、３は湾曲部２ａ、３ａと摘み部２ｂ、３ｂの中間部同士を回動可能に連結されており、更に孔２ｅ、３ｅに挿通されたバネ２ｈ、２ｈの各端部は前記バネ受け溝２ｆ、２ｆ、３ｆ、３ｆに取り付けてられているため、通常の状態では、図１及び図２に示すように先端部２ｃ、３ｃ同士が接触し、摘み部２ｂ、３ｂ同士が離れた状態となっている。
【００２０】
また、摘み部２ｂ、３ｂ同士は調節部４により連結されており、図５に示すように摘み部２ｂ、３ｂ同士を引き寄せると調節機構が働き湾曲部２ａ、３ａが開口した状態を維持する仕組みとなっている。このように一度開口した湾曲部２ａ、３ａは調節部４のロックを解除しなければ元に戻ることが出来ない。尚、前記調節部４の構造については後述することとする。
【００２１】
図１に示すように、上下挟持部２、３を回動可能に連結した部分の正面には表示部７が取り付けられている。表示部７は外周面に突片７ｂを取り付けた回転盤７ａからなり、上下挟持部２、３の連結部位に回動可能に取り付けられている。尚、符号７ｃは回転盤７ａの軸を示している。
【００２２】
上下挟持部２、３の連結部位には２、４、６、８、１０、１２の時間表示７ｄが示されており、前記回転盤７ａを回転させることで突片７ｂを任意の時間表示７ｄに合わせることができる。この時間表示７ｄは、本発明である止血クランプ１で止血する時間を示している。尚、表示部７については、自動タイマー式としてもよい。
【００２３】
図１及び図３に示すように、前記上押さえ部５は吸盤１０と連結突起１０ａとからなり、連結突起１０ａの上端には拡張部１０ｂが形成されている。前記拡張部１０ｂは縦辺がガイド孔２ｄの幅よりも短く、横辺がガイド孔２ｄより長い長方形状をしており、拡張部１０ｂをガイド孔２ｄに挿入し、９０度回転させることで上押さえ部５を上挟持部２の湾曲部２ａに取り付けることが出来る。
【００２４】
また、拡張部１０ｂを再度９０度回転させて取り外し可能な状態にすることで上押さえ部５をガイド孔２ｄ内でスライド移動させ任意の場所に固定することが出来る。
【００２５】
図１及び図４に示すように、前記下押さえ部６は、無数の通気孔１１ｃを穿設した吸盤１１と連結突起１１ａとからなり、連結突起１１ａの先端には拡張部１１ｂが形成されている。前記拡張部１１ｂは縦辺がガイド孔３ｄよりも短く、横辺がガイド孔３ｄよりも長い長方形状をしており、拡張部１１ｂをガイド孔３ｄに挿入し、９０度回転させることで下押さえ部６を下挟持部３の湾曲部３ａに取り付けることが出来る。
【００２６】
また、拡張部１１ｂを再度９０度回転させて取り外し可能な状態とすることで下押さえ部６をガイド孔３ｄ内でスライド移動させ任意の場所に固定することが出来る。
【００２７】
図６は本発明である止血用クランプの一部拡大断面図である。図６に示すように、本発明である止血用クランプ１の調節部４は、底面に接続片８ｆを形成し制御摘み８ｄを備えた制御土台８ｃと、無数の調節突起８ｂを形成した調節ベルト８とからなり、前記調節ベルト８を調節突起８ｂが制御摘み８ｄに接するように制御土台８ｃに挿通している。
【００２８】
前記調節部４は前記上挟持部２の摘み部２ｂに取り付けられる。取付方法は、前記接続片８ｆに穿設した孔８ｇと摘み部２ｂに穿設された孔２ｇを重ねて位置を決め、固定ネジ８ｈで固定する。尚、他端については略階段状の固定部材９を使用して固定部材９の上端で制御土台８ｃの上部を押さえつけた状態で接続片９ａと摘み部２ｂを固定ネジ９ｂで固定する。尚、前記固定部材９については使用しなくてもよい。
【００２９】
調節部４を摘み部２ｂに取り付けた状態では、制御土台８ｃは孔２ｅの上部に位置しており、制御土台８ｃに挿通された調節ベルト８は孔２ｅにも挿通された状態となっている。また、調節ベルト８の下端については、図４に示すように下挟持部３の孔３ｇに挿通されて摘み部３ｂに固定ネジ８ｊを介して固定されている。
【００３０】
制御土台８ｃに挿通された調節ベルト８の無数の調節突起８ｂは制御摘み８ｄの先端に引っ掛かった状態となっており、制御摘み８ｄを矢印の方向に引っ張ると制御摘み８ｄの先端が調節突起８ｂから外れてバネ２ｈの力によって上下挟持部２、３が元の位置に戻る。
【００３１】
尚、前記制御摘み８ｄ上面に形成された凹部８ｅは制御摘み８ｄを操作しやすくするために設けたものであり、設けなくても良い。また、制御ベルト８の上端に設けた摘み８ａについても、特に調節部４の機能に影響を与えるものではないため設けなくても良い。
【００３２】
前記固定ネジ８ｈ、９ｂの各下端に螺合されているものはナット８ｉ、９ｃを示しており、これらの固定ネジ８ｈ、９ｂ及びナット８ｉ、９ｃを使用する際はワッシャ等をしようすることが望ましいが、特に使用を限定するものではない。
【実施例２】
【００３３】
図７は、本発明である止血用クランプの第２実施例の正面図、図８及び図９は止血用クランプの第２実施例の平面図である。
【００３４】
図７から図９に示すように、本発明である止血用クランプ１ａは、前記実施例１の止血用クランプ１とほぼ同じ構造をしている。即ち、本発明である止血用クランプ１ａは、先端部２ｃに向かって大きく湾曲し下面に移動可能に上押さえ部５ａを取り付けた湾曲部２ａと前記湾曲部２ａの後部より上方に向かって緩やかに傾斜した摘み部２ｂからなる上挟持部２と、
先端部３ｃに向かって大きく湾曲し上面に移動可能に下押さえ部６を取り付けた湾曲部３ａと前記湾曲部３ａの後部より下方に向かって緩やかに傾斜した摘み部３ｂからなる下挟持部３とからなり、
前記上挟持部２の湾曲部２ａと摘み部２ｂの中間と下挟持部３の湾曲部３ａと摘み部３ｂの中間同士を回動可能に連結して表示部７を取付け、同時に各湾曲部２ａ、３ａの後部同士を略Ｃ字状のバネ２ｈで制御し、更に各摘み部２ｂ、３ｂ同士を調節部４で連結している。
【００３５】
上記のように、止血用クランプ１ａは上挟持部２に上押さえ部５ａを取り付けたものである。前記上押さえ部５ａは、２つの吸盤１０、１０を移動可能に取り付けた緩やかに湾曲した回転盤１０ｃと上端に拡張部１０ｅを形成し前記回転盤１０ｃの中央上面に取り付けられた連結突起１０ｄとからなる。
【００３６】
回転盤１０ｃには同形同大の２つのガイド孔１０ｊ、１０ｊが穿設されており、各ガイド孔１０ｊに前記吸盤１０がスライド可能に連結されている。ガイド孔１０ｊ、１０ｊの間にはネジを介して連結突起１０ｄが回動可能に取り付けられている。
【００３７】
連結突起１０ｄの上端部分はガイド孔２ｄに挿入され拡張部１０ｅを取り付けてスライド及び回動可能に湾曲部２ａに連結されている。図８に示すように、拡張部１０ｅはガイド孔２ｄの幅よりも大きく、ネジ止めを外さない限り取り外すことはできない。
【００３８】
図９に示すように、前記回転盤１０ｃは３６０度回転することができ、更に回転盤１０ｃに取り付けられた吸盤１０、１０はスライド移動させることが出来るため、２箇所の止血部位が近い場合は、回転盤１０ｃと吸盤１０、１０を調節することにより１つの止血用クランプ１ａを使用するだけで２箇所を止血することが出来る。
【００３９】
尚、実施例２の図中では、調節部４の調節ベルト８上端にリング摘み８ｋを取り付けたが、これは前述の摘み８ａであってもよく、また、取り付けなくてもよい。
【実施例３】
【００４０】
図１０は、本発明である止血用クランプの第３実施例の正面図である。図１０に示すように、本発明である止血用クランプ１ｂは、前記実施例１及び実施例２で示した止血用クランプ１、１ａとほぼ同じ構造をしている。
【００４１】
即ち、本発明である止血用クランプ１ｂは、先端部２ｃに向かって大きく湾曲し下面に移動可能に上押さえ部５ｂを取り付けた湾曲部２ａと前記湾曲部２ａの後部より上方に向かって緩やかに傾斜した摘み部２ｂからなる上挟持部２と、
先端部３ｃに向かって大きく湾曲し上面に移動可能に下押さえ部６を取り付けた湾曲部３ａと前記湾曲部３ａの後部より下方に向かって緩やかに傾斜した摘み部３ｂからなる下挟持部３とからなり、
前記上挟持部２の湾曲部２ａと摘み部２ｂの中間と下挟持部３の湾曲部３ａと摘み部３ｂの中間同士を回動可能に連結して表示部７を取付け、同時に各湾曲部２ａ、３ａの後部同士を略Ｃ字状のバネ２ｈで制御し、更に各摘み部２ｂ、３ｂ同士を調節部４で連結している。
【００４２】
上記のように、止血用クランプ１ｂは上挟持部２に上押さえ部５ｂを取り付けたものである。前記上押さえ部５ｂは、緩衝材１０ｆと緩衝材１０ｆの上面に取り付けられた連結突起１０ｇとからなり、図示はしていないが、連結突起１０ｇの上端には拡張部１０ｂが設けられている。即ち、実施例１の上押さえ部５における吸盤１０に代わって緩衝材１０ｆが取り付けられたものである。
【実施例４】
【００４３】
図１１は本発明である止血用クランプの第４実施例の正面図である。図１１に示すように、本発明である止血用クランプ１ｃは、前記実施例１から実施例３で示した止血用クランプ１、１ａ、１ｂとほぼ同じ構造をしている。
【００４４】
即ち、本発明である止血用クランプ１ｃは、先端部２ｃに向かって大きく湾曲し下面に移動可能に上押さえ部５ｃを取り付けた湾曲部２ａと前記湾曲部２ａの後部より上方に向かって緩やかに傾斜した摘み部２ｂからなる上挟持部２と、
先端部３ｃに向かって大きく湾曲し上面に移動可能に下押さえ部６を取り付けた湾曲部３ａと前記湾曲部３ａの後部より下方に向かって緩やかに傾斜した摘み部３ｂからなる下挟持部３とからなり、
前記上挟持部２の湾曲部２ａと摘み部２ｂの中間と下挟持部３の湾曲部３ａと摘み部３ｂの中間同士を回動可能に連結して表示部７を取付け、同時に各湾曲部２ａ、３ａの後部同士を略Ｃ字状のバネ２ｈで制御し、更に各摘み部２ｂ、３ｂ同士を調節部４で連結している。
【００４５】
上記のように、止血用クランプ１ｃは上挟持部２に上押さえ部５ｃを取り付けたものである。前記上押さえ部５ｃは、上面に連結突起１０ｇを形成した取付台座１０ｈに取り付けられた２つの緩衝材１０ｆ、１０ｆを移動可能に取り付けた緩やかに湾曲した回転盤１０ｃと上端に拡張部１０ｅを形成し前記回転盤１０ｃの中央上面に取り付けられた連結突起１０ｄとからなる。即ち、実施例２の止血用クランプ１ａにおける吸盤１０に代わって緩衝材１０ｆが取り付けられたものである。
【００４６】
回転盤１０ｃには同形同大の２つのガイド孔１０ｊ、１０ｊが穿設されており、各ガイド孔１０ｊに前記緩衝材１０ｆがスライド可能に連結されている。ガイド孔１０ｊ、１０ｊの間にはネジを介して連結突起１０ｄが回動可能に取り付けられている。
【００４７】
連結突起１０ｄの上端部分はガイド孔２ｄに挿入され拡張部１０ｅを取り付けてスライド及び回動可能に湾曲部２ａに連結されている。拡張部１０ｅはガイド孔２ｄの幅よりも大きく、ネジ止めを外さない限り取り外すことはできない。
【００４８】
図１１に示すように、前記回転盤１０ｃは３６０度回転することができ、更に回転盤１０ｃに取り付けられた緩衝材１０ｆはスライド移動させることが出来るため、２箇所の止血部位が近い場合は、回転盤１０ｃと緩衝材１０ｆ、１０ｆを調節することにより１つの止血用クランプ１ｃを使用するだけで２箇所を止血することが出来る。
【実施例５】
【００４９】
図１２は本発明である止血用クランプの第５実施例の正面図である。図１２に示すように、本発明である止血用クランプ１ｄは、前記実施例１で示した止血用クランプ１とほぼ同じ構造をしている。
【００５０】
即ち、本発明である止血用クランプ１ｄは、先端部２ｃに向かって大きく湾曲し下面に移動可能に上押さえ部５ｄを取り付けた湾曲部２ａと前記湾曲部２ａの後部より上方に向かって緩やかに傾斜した摘み部２ｂからなる上挟持部２と、
先端部３ｃに向かって大きく湾曲し上面に移動可能に下押さえ部６を取り付けた湾曲部３ａと前記湾曲部３ａの後部より下方に向かって緩やかに傾斜した摘み部３ｂからなる下挟持部３とからなり、
前記上挟持部２の湾曲部２ａと摘み部２ｂの中間と下挟持部３の湾曲部３ａと摘み部３ｂの中間同士を回動可能に連結して表示部７を取付け、同時に各湾曲部２ａ、３ａの後部同士を略Ｃ字状のバネ２ｈで制御し、更に各摘み部２ｂ、３ｂ同士を調節部４で連結している。
【００５１】
上記のように、止血用クランプ１ｄは上挟持部２に上押さえ部５ｄを取り付けたものである。前記上押さえ部５ｄは、内壁面に径の小さい吸盤１０ｉを取り付けた吸盤１０と吸盤１０の上面に取り付けられた連結突起１０ａとからなり、図示はしていないが、連結突起１０ａの上端には拡張部１０ｂが形成されている。即ち、実施例１の止血用クランプ１における吸盤１０が二重の吸盤構造となったものである。
【実施例６】
【００５２】
図１３は本発明である止血用クランプの第６実施例の正面図である。図１３に示すように、本発明である止血用クランプ１ｅは、実施例２に示した止血用クランプ１ａとほぼ同じ構造をしている。
【００５３】
即ち、本発明である止血用クランプ１ｅは、先端部２ｃに向かって大きく湾曲し下面に移動可能に上押さえ部５ｅを取り付けた湾曲部２ａと前記湾曲部２ａの後部より上方に向かって緩やかに傾斜した摘み部２ｂからなる上挟持部２と、
先端部３ｃに向かって大きく湾曲し上面に移動可能に下押さえ部６を取り付けた湾曲部３ａと前記湾曲部３ａの後部より下方に向かって緩やかに傾斜した摘み部３ｂからなる下挟持部３とからなり、
前記上挟持部２の湾曲部２ａと摘み部２ｂの中間と下挟持部３の湾曲部３ａと摘み部３ｂの中間同士を回動可能に連結して表示部７を取付け、同時に各湾曲部２ａ、３ａの後部同士を略Ｃ字状のバネ２ｈで制御し、更に各摘み部２ｂ、３ｂ同士を調節部４で連結している。
【００５４】
上記のように、止血用クランプ１ｅは上挟持部２に上押さえ部５ｅを取り付けたものである。前記上押さえ部５ｅは、内壁面に径の小さい吸盤１０ｉを備えた２つの吸盤１０、１０を連結突起１０ａを介して移動可能に取り付け緩やかに湾曲した回転盤１０ｃと上端に拡張部１０ｅを形成し前記回転盤１０ｃの中央上面に取り付けられた連結突起１０ｄとからなる。
【００５５】
即ち、実施例２及び実施例４の止血用クランプ１ａ、１ｃにおける吸盤１０及び緩衝材１０ｆに代わって内壁面に径の小さい吸盤１０ｉを備えた吸盤１０を取り付けたものである。
【００５６】
図１３に示すように、前記回転盤１０ｃは３６０度回転することができ、更に回転盤１０ｃに取り付けられた吸盤１０、１０はスライド移動させることが出来るため、２箇所の止血部位が近い場合は、回転盤１０ｃと吸盤１０、１０を調節することにより１つの止血用クランプ１ｅを使用するだけで２箇所を止血することが出来る。
【実施例７】
【００５７】
図１４は本発明である止血用クランプで使用する止血部材を示した図である。図１４に示した各固定部材１７、１８、１９は、前記実施例１から実施例６に示した上押さえ部５、５ａ、５ｂ、５ｃ、５ｄ、５ｅの吸盤１０、緩衝材１０ｆに代わって使用する部材である。
【００５８】
図１４の上段に示した固定部材１７は、上面中央に連結突起１７ｃを介して拡張部１７ｄを備えた取付板１７ｂと上面に上スポンジ体１７ａを連結したスポンジ体１７ｅとからなり、前記上スポンジ体１７ａの上面中央に取付板１７ｂが連結されている。
【００５９】
図１４の中段に示した固定部材１８は、上面中央に連結突起１８ｂを介して拡張部１８ｃを備えた上部突起１８ａと、内壁面に径の小さいゼリーシール１８ｄを備えた吸盤１８ｅとからなり、前記吸盤１８ｅの上面中央に上部突起１８ａが連結されている。
【００６０】
図１４の下段に示した固定部材１９は、上面中央に連結突起１９ｂを介して拡張部１９ｃを備えた上部突起１９ａと、内壁面に径の小さい緩衝材１９ｄを備えた吸盤１９ｅとからなり、前記吸盤１９ｅの上面中央に上部突起１９ａが連結されている。
【００６１】
図１５は本発明である止血用クランプの取り付け位置を示した全体図である。図１４に示すように、人工透析を行う際には、２箇所に針を刺す。このとき、血液を抜く側の刺し位置をＡ側（１２ｅ）といい、血液を戻す側の刺し位置をＶ側（１２ｄ）という。
【００６２】
体内より抜き取られダイアライザー１６等を経由してきれいになった血液が体内に戻され、人工透析が終了するとＡ側（１２ｅ）及びＶ側（１２ｄ）の針を抜き、各箇所を止血しなければならない。
【００６３】
図１５のように、Ａ側（１２ｅ）とＶ側（１２ｄ）の場所が離れている場合は、本発明である止血用クランプ１、１ｂ、１ｄを２つ使用して、それぞれの止血位置を止血すればよい。また、前記Ａ側（１２ｅ）とＶ側（１２ｄ）の場所が近い場合には、止血用クランプ１ａ、１ｃ、１ｅのいずれか１つだけを使用することで２箇所を同時に止血することが出来る。
【００６４】
上記のように、止血位置は患者によって遠い場合と近い場合とがあり、また腕の太さや止血力の強さにも個人差がある。しかしながら、どのような状態であっても本発明である止血用クランプは対応することができ、取付けから取り外し及び取付時の止血力の調節を片手で行うことが出来るため、患者や看護士の負担も軽くなり、何よりも従来のどの方法よりも簡単、確実、最適な止血を行うことが出来る。
【００６５】
尚、符号１２は透析患者の腕、符号１２ａは静脈、符号１２ｂは動脈を示し、符号１２ｃは静脈１２ａと動脈１２ｂが連結された場所であるシャントを示している。また、符号１３ａ、１６ａはチューブを示し、符号１３は血液ポンプ、符号１４は抗凝固薬注入ポンプ、符号１５は透析液供給装置を示している。
【図面の簡単な説明】
【００６６】
【図１】本発明である止血用クランプの第１実施例の正面図である。
【図２】本発明である止血用クランプの第１実施例の背面図である。
【図３】本発明である止血用クランプの第１実施例の平面図である。
【図４】本発明である止血用クランプの第１実施例の底面図である。
【図５】本発明である止血用クランプの第１実施例の開いた状態を示した図である。
【図６】本発明である止血用クランプの第２実施例の正面図である。
【図７】本発明である止血用クランプの第２実施例の平面図である。
【図８】本発明である止血用クランプの第２実施例の平面図である。
【図９】本発明である止血用クランプの第３実施例の正面図である。
【図１０】本発明である止血用クランプの第４実施例の正面図である。
【図１１】本発明である止血用クランプの第５実施例の正面図である。
【図１２】本発明である止血用クランプの第６実施例の正面図である。
【図１３】本発明である止血用クランプの第７実施例の正面図である。
【図１４】本発明である止血用クランプに使用する止血部材の他の実施例を示した図である。
【図１５】本発明である止血用クランプを腕に取り付けた状態を示した全体図である。
【符号の説明】
【００６７】
１      止血用クランプ
２      上挟持部
２ａ    湾曲部
２ｂ    摘み部
２ｃ    先端部
２ｄ    ガイド孔
２ｅ    孔
２ｆ    バネ受け溝
２ｇ    孔
２ｈ    バネ
３      下挟持部
３ａ    湾曲部
３ｂ    摘み部
３ｃ    先端部
３ｄ    ガイド孔
３ｅ    孔
３ｆ    バネ受け溝
３ｇ    孔
４      調節部
５      上押さえ部
５ａ    上押さえ部
５ｂ    上押さえ部
５ｃ    上押さえ部
５ｄ    上押さえ部
５ｅ    上押さえ部
６      下押さえ部
７      表示部
７ａ    回転盤
７ｂ    突片
７ｃ    軸
７ｄ    時間表示
８      調節ベルト
８ａ    摘み
８ｂ    調節突起
８ｃ    制御土台
８ｄ    制御摘み
８ｅ    凹部
８ｆ    接続片
８ｇ    孔
８ｈ    固定ネジ
８ｉ    ナット
８ｊ    固定ネジ
８ｋ    リング摘み
９      固定部材
９ａ    接続片
９ｂ    固定ネジ
９ｃ    ナット
１０      吸盤
１０ａ    連結突起
１０ｂ    拡張部
１０ｃ    回転盤
１０ｄ    連結突起
１０ｅ    拡張部
１０ｆ    緩衝材
１０ｇ    連結突起
１０ｈ    取付土台
１０ｉ    吸盤
１０ｊ    ガイド孔
１１      吸盤
１１ａ    連結突起
１１ｂ    拡張部
１１ｃ    通気孔
１２      腕
１２ａ    静脈
１２ｂ    動脈
１２ｃ    シャント
１２ｄ    Ｖ側
１２ｅ    Ａ側
１３      血液ポンプ
１３ａ    チューブ
１４      抗凝固薬注入ポンプ
１５      透析液供給装置
１６      ダイアライザー
１６ａ    チューブ
１７      固定部材
１７ａ    上スポンジ体
１７ｂ    取付板
１７ｃ    連結突起
１７ｄ    拡張部
１７ｅ    スポンジ体
１８      固定部材
１８ａ    上部突起
１８ｂ    連結突起
１８ｃ    拡張部
１８ｄ    ゼリーシール
１８ｅ    吸盤
１９      固定部材
１９ａ    上部突起
１９ｂ    連結突起
１９ｃ    拡張部
１９ｄ    緩衝材
１９ｅ    吸盤
【図１】
2009148484.tif 000003
【図２】
2009148484.tif 000004
【図３】
2009148484.tif 000005
【図４】
2009148484.tif 000006
【図５】
2009148484.tif 000007
【図６】
2009148484.tif 000008
【図７】
2009148484.tif 000009
【図８】
2009148484.tif 000010
【図９】
2009148484.tif 000011
【図１０】
2009148484.tif 000012
【図１１】
2009148484.tif 000013
【図１２】
2009148484.tif 000014
【図１３】
2009148484.tif 000015
【図１４】
2009148484.tif 000016
【図１５】
2009148484.tif 000017